(57)【要約】 【課題】都道府県単位などとして各地域のイベントや祭り等の行事を記載したカレンダーとすることにより、利用者が地元の行事等に目を向ける機会を与え、地域行事への参加を促し、地域の活性化に繋がる地域行事表示カレンダーを提供する。【解決手段】本考案は、月毎に区分けして月の全日にち及び地域の行事名を該行事開催日の近傍に表示した当月欄を記載した表面と、前記地域の行事名毎に、行事の開催日にち又は開催期間、行事の開催場所及び行事内容を記載した裏面からなる地域行事表示カレンダーの構成とした。【選択図】図１
0003145494.tif 000002
【実用新案登録請求の範囲】
【請求項１】
月毎に区分けして月の全日にち及び地域の行事名を該行事開催日の近傍に表示した当月欄を記載した表面と、前記地域の行事名毎に、行事の開催日にち又は開催期間、行事の開催場所及び行事内容を記載した裏面からなる地域行事表示カレンダー。
【請求項２】
１月〜１２月の各月毎に前記表面及び裏面が記載され、１月〜１２月各１枚の１２枚を１組としたことを特徴とする請求項１に記載の地域行事表示カレンダー。
【請求項３】
前記各表面には、３５マスからなり各マス内に１月〜１２月の何れか１の月の全日にち及び地域の行事名を該行事開催日と同一のマス内に記した当月欄、前記当月欄の略中央上方に該当月、前記当月欄の上方左側に先月のカレンダー、及び前記当月欄の上方右側に翌月のカレンダーを記載したことを特徴とする請求項２に記載の地域行事表示カレンダー。
【請求項４】
前記裏面には、前記地域の行事の開催場所の地図、又は駐車場情報、或いは行事光景写真を地域の行事毎に載せたことを特徴とする請求項１〜請求項３の何れか１項に記載の地域行事表示カレンダー。
【考案の詳細な説明】
【技術分野】
【０００１】
本考案は、カレンダーに関する考案である。
【背景技術】
【０００２】
従来、カレンダーには国内で有名な行事や祭りなどが記載されていた。
【０００３】
しかしながら、従来のカレンダーでは地域に関係なく、有名な行事や祭りなどだけが記載されていたため、それらが行われる地域から遠く離れた人にとっては特に興味を惹くことはなく、専ら日付を見たり予定を書き込むだけに使用されていた。
【０００４】
全国各地には伝統的な歴史のある行事、楽しくユニークなイベントが多数有るが、カレンダーのスペースの問題もあり、上述のように代表的なものしか掲載されることがなく、各地の小さな行事等は認知度を高めることができなかった。
【０００５】
しかし、上記のようなスペース的問題としつつも裏面は多くの場合が何も印刷されずに白紙となっており、有効利用されることなく月が終わると破棄又はメモ紙等にされていた。
【特許文献１】特願２００５−３１３４７１号公報
【考案の開示】
【考案が解決しようとする課題】
【０００６】
そこで、本考案は、例えば都道府県単位などとして各地域のイベントや祭り等の行事を記載したカレンダーとすることにより、利用者が地元の行事等に目を向ける機会を与え、地域行事への参加を促し、地域の活性化に繋がる地域行事表示カレンダーを提供することを目的とするものである。
【課題を解決するための手段】
【０００７】
本考案は、上記の課題を解決するために、月毎に区分けして月の全日にち及び地域の行事名を該行事開催日の近傍に表示した当月欄を記載した表面と、前記地域の行事名毎に、行事の開催日にち又は開催期間、行事の開催場所及び行事内容を記載した裏面からなる地域行事表示カレンダーの構成、また、１月〜１２月の各月毎に前記表面及び裏面が記載され、１月〜１２月各１枚の１２枚を１組としたことを特徴とする前記地域行事表示カレンダーの構成とした。
【０００８】
さらに、前記各表面には、３５マスからなり各マス内に１月〜１２月の何れか１の月の全日にち及び地域の行事名を該行事開催日と同一のマス内に記した当月欄、前記当月欄の略中央上方に該当月、前記当月欄の上方左側に先月のカレンダー、及び前記当月欄の上方右側に翌月のカレンダーを記載したことを特徴とする前記地域行事表示カレンダーの構成とし、また、前記裏面には、さらに前記地域の行事の開催場所、又は駐車場情報、或いは行事光景写真の地図を地域の行事毎に載せたことを特徴とする前記何れかに記載の地域行事表示カレンダー構成とした。
【考案の効果】
【０００９】
本考案の地域行事表示カレンダーは配布される地域及びその近隣で行われるイベントや祭り等の行事が記載されているため、利用者は地元で行われる行事等を知ることができ、足を運ぶきっかけを作ることができる。
【００１０】
また、これまで使用されることがなかった裏面を有効活用し、表面とリンクさせることで、行事等の日時や場所、内容を分かり易く伝えることができ、地元に目を向けさせる役割を果たすことができる。即ち、地域興しに役立つ。
【００１１】
更に、以上のように利用者が地元に目を向けることで、各行事への参加も期待でき、地域の活性化に繋がる。
【考案を実施するための最良の形態】
【００１２】
地元に目を向けさせ、地域の活性化に繋げる目的を、地域に密着した行事等を記載した表面と、それらを詳細に説明した裏面からなるカレンダーとすることにより実現した。
【実施例１】
【００１３】
図１は本考案である地域行事表示カレンダーの表面を示した図、図２は本考案である地域行事表示カレンダーの裏面を示した図である。
【００１４】
図１に示すように、本考案である地域行事表示カレンダー１は、中央に当月欄３を記載し上方中央に月４及び前記月４の左右に先月４ｃと翌月４ｄのカレンダーを記載した表面２と、日にち７及び行事名８並びに行事内容９を記載した裏面２ｂとからなる。
【００１５】
前記当月欄３は、縦５マス横７マスの３５マスからなり、各マス内には日にち３ａが記載され、イベントや行事等がある日については行事名３ｂが記載されている。
【００１６】
前記当月欄３の枠外上方には日曜日から土曜日までの曜日３ｃが記載されている。
【００１７】
表面２の中央上部には当月欄３の月４が記載されており、前記月４の上方には西暦による年４ａと和暦による年４ｂが記載されている。
【００１８】
更に、表面２の上部左右には月４に対する先月４ｃのカレンダー及び翌月４ｄのカレンダーが記載されている。
【００１９】
尚、符号５は各月のカレンダーを束ねるための留め具を示している。
【００２０】
図２に示すように、裏面２ａには前記表面２の当月欄３内に記載された各行事をまとめて表示している。
【００２１】
即ち、裏面２ａの上部にはタイトル６が記載され、例えば「○月の行事・イベント」等のように記載されている。
【００２２】
前記タイトル６より下段には、まず日にち７が記載され、その隣に行事名８が記載されている。
【００２３】
行事名８の下には行事内容９として、各行事の内容や開催場所等の説明が記載されている。尚、日にち７及び行事名８は表面２の当月欄３とリンクしており、利用者は当月欄３で行事やイベントの存在を知り、更に裏面２ａで行事の内容を知ることができる。
【実施例２】
【００２４】
図３は本考案である地域行事表示カレンダーの裏面の第２実施例を示した図である。図３に示すように、裏面２ｂは前記表面２の当月欄３内に記載された各行事をまとめて表示している。
【００２５】
即ち、裏面２ｂの上部にはタイトル１０が記載され、前記タイトル１０の下に行事記載欄１１が記載されている。
【００２６】
行事記載欄１１は、行事名１１ｂ、期間１１ｃ、場所１１ｄ、内容１１ｅ及び地図１１ｆの記載欄からなり、欄外の左側に日にち１１ａが記載されている。
【００２７】
図３のように各行事やイベントの詳細を示す際に欄を分けることで、行事やイベント内容を理解し易くなり、また地図１１ｆを用いることで足を向けるきっかけを作ることができる。
【００２８】
また、前記行事記載欄１１は上記の記載欄（行事名、期間、場所、内容、地図）に限定したものではなく、開催時間や駐車場などの情報、また行事光景の写真など、より足を運びやすくするような情報を載せることも考えられる。
【００２９】
尚、裏面２ｂについても、裏面２ａと同様に表面２に記載された行事やイベントとリンクしており、利用者は表面２で行事やイベントの存在を確認し、裏面２ｂで各行事やイベントの内容及び場所等を確認することができる。
【００３０】
カレンダー内に記載する行事やイベントについては、配布地域に合った内容、即ち北海道、東北、関東、東海、甲信越、北陸、中国、四国、九州沖縄地方単位、或いは都道府県単位、又は市区町村単位などの範囲とし、利用者が地元又は近傍で行われる行事やイベントに参加するきっかけを作ることが目的である。
【００３１】
尚、上記の本考案である地域行事表示カレンダーは図面に於いて、１枚に付き一つの月で表示したが、１枚に１２ヶ月分を記載することや、１枚に複数月分記載する表示方法であっても良い。
【図面の簡単な説明】
【００３２】
【図１】本考案である地域行事表示カレンダーの表面を示した図である。
【図２】本考案である地域行事表示カレンダーの裏面を示した図である。
【図３】本考案である地域行事表示カレンダーの裏面の第２実施例を示した図である。
【符号の説明】
【００３３】
１      地域行事表示カレンダー
２      表面
２ａ    裏面
２ｂ    裏面
３      当月欄
３ａ    日にち
３ｂ    行事名
３ｃ    曜日
４      月
４ａ    年
４ｂ    年
４ｃ    先月
４ｄ    翌月
５      留め具
６      タイトル
７      日にち
８      行事名
９      行事内容
１０      タイトル
１１      行事記載欄
１１ａ    日にち
１１ｂ    行事名
１１ｃ    期間
１１ｄ    場所
１１ｅ    内容
１１ｆ    地図
【図１】
0003145494.tif 000003
【図２】
0003145494.tif 000004
【図３】
0003145494.tif 000005